(57)【要約】【課題】押し出されるコインを、異なる奥行位置からそれぞれ所望の方向に投げ出せるようにし、結果として同一高さ、同一方向に投げ出すことができるようにする。【解決手段】装置本体１０が有するホッパ１２に貯留されているコインを、近接する２つの出口にそれぞれ選択的に搬出するコイン搬出手段と、前記２つの出口にそれぞれ連結され、コインの送り方向を上方に変更するＲレール部２２と、各変向レール部に連続形成された直状レール部とを有する第１レール１４及び第２レール１６とを備えたコイン投出装置において、一方にジョイントレール部２６を介在させ、第１レール１４側の出口から直状レール部２４までの距離Ｌ1を、第２レール１６側の出口から直状レール部２４Ａまでの距離Ｌ2と異なるようにし、且つ前記第１レール１４の先端部と第２レール１６の先端部を同一高さにし、各先端部にコインの投出方向が同一の投出部２２を取付けた。【選択図】図８
2006350603.tif 000002
【特許請求の範囲】
【請求項１】
装置本体が有するホッパに貯留されているコインを、近接する２つの出口にそれぞれ選択的に搬出するコイン搬出手段と、
前記２つの出口にそれぞれ連結され、コインの送り方向を上方に変更する変向レール部と、各変向レール部に連続形成された直状レール部とを有する第１レール及び第２レールとを備えたコイン投出装置において、
前記第１レール側の出口から前記直状レール部までの距離を、前記第２レール側の出口から前記直状レール部までの距離と異なるようにしたことを特徴とするコイン投出装置。
【請求項２】
前記第１レールの先端部と第２レールの先端部を同一高さにし、各先端部にコインの投出方向が同一の投出部を取付けたことを特徴とする請求項１に記載のコイン投出装置。
【発明の詳細な説明】
【技術分野】
【０００１】
本発明は、コイン投出装置、特に遊技機、両替機、自動販売機等に適用して好適なコイン投出装置に関する。
【背景技術】
【０００２】
従来、例えば遊技機においては、遊技者がゲームで獲得した点数に応じたコインを所定位置に供給するために、コイン投出装置が用いられている。このコイン投出装置は、多数のコインを貯留するホッパと、該ホッパの底部の内側面に沿って配置されたほぼ円盤状で、中心軸線周りに複数のコイン保持部が設けられ、上方に堆積しているコインを回転しながら前記コイン保持部に誘導・保持して円周方向に搬送するディスクと、回転しながら搬送されるコインに回転方向反対側から当接して、前記ディスクの径方向外側に配置された出口に案内するガイドと、前記ディスクを回転駆動するアクチュエータとを備えている。
【０００３】
このような従来のコイン投出装置では、前記ディスクの回転により出口方向に案内され、搬出されたコインは、該出口に連結されているレールの方向に押し出され、該レール内に送り込まれる。
【０００４】
このようにレール内に送り込まれたコインは、前記ディスクの回転に伴って順次送り込まれてくる後続のコインにより下流側に押し出され、該レールの先端に設けられている投出部により所定の方向に投出されるようになっている。
【０００５】
このようなコイン投出装置には、１つのアクチュエータを使って異なる方向にコインを投げ出させるようにしたいという要望がある。
【０００６】
この要望に応えるべく、特許文献１には、前記投出部が方向切替手段によりコインの投出方向を正逆両方向に切り替えるようにしたものが開示されている。
【０００７】
又、特許文献２には、１つのアクチュエータにより隣接する２つの出口にコインを選択的に搬送し、各出口に連結された２本のレールにそれぞれコインを送り出すことができるようにし、それぞれ異なる方向にコインを投げ出すことができるようにしたものを開示している。
【０００８】
【特許文献１】特開平８−２９３０５１号公報
【特許文献２】特開２００２−２２２４４６号公報
【発明の開示】
【発明が解決しようとする課題】
【０００９】
しかしながら、前記特許文献１及び特許文献２に開示されているいずれのコイン投出装置によっても、異なる奥行位置から２つの所望の方向にコインを投出することはできず、従って同一高さで同一方向にコインを投げ出すことができないという問題があった。
【００１０】
本発明は、前記従来の問題点を解決するべくなされたもので、同一のアクチュエータにより押し出されるコインを、異なる奥行位置からそれぞれ所望の方向に投げ出すことができるようにし、その結果同一高さの同一方向に対しても投げ出すことができるようにすることを課題とする。
【課題を解決するための手段】
【００１１】
本発明は、装置本体が有するホッパに貯留されているコインを、近接する２つの出口にそれぞれ選択的に搬出するコイン搬出手段と、前記２つの出口にそれぞれ連結され、コインの送り方向を上方に変更する変向レール部と、各変向レール部に連続形成された直状レール部とを有する第１レール及び第２レールとを備えたコイン投出装置において、前記第１レール側の出口から前記直状レール部までの距離を、前記第２レール側の出口から前記直状レール部までの距離と異なるようにしたことにより、前記課題を解決したものである。
【００１２】
本発明は、又、前記第１レールの先端部と第２レールの先端部を同一高さにし、各先端部にコインの投出方向が同一の投出部を取付けるようにしてもよい。
【発明の効果】
【００１３】
本発明によれば、同一のアクチュエータにより２つの出口に選択的に搬出されるコインを、奥行が異なる位置に配設された２つのレールによりそれぞれ上方に向かって送り出すことを可能としたので、各レールに設置した投出部からそれぞれコインを所望の方向に投げ出すことが可能となる。
【００１４】
その結果、同一高さで、同一方向に対してもコインを投げ出すことが可能となることから、バリエーションに富んだ投出方向を選択することが可能となる。
【発明を実施するための最良の形態】
【００１５】
以下、図面を参照して、本発明の実施の形態について詳細に説明する。
【００１６】
図１は本発明に係る一実施形態のコイン投出装置全体の外観を示す側面図、図２はその斜視図、図３はその分解斜視図である。
【００１７】
本実施形態のコイン投出装置は、装置本体１０が有するホッパ１２に貯留されているコイン（図示せず）を、上方に案内する通路が形成されている第１レール１４と第２レール１６とが、傾斜したベース板１８に取付けられ、各レール１４、１６の上端部にそれぞれ取付けられている投出部２０により、順次レール内を送り込まれてくるコインを所定の方向に投げ出すようになっている。
【００１８】
本実施形態のコイン投出装置では、前記第１レール１４が、前記装置本体１０から斜め上方に送り出されてくるコインの案内方向を上方に変向するための湾曲部を有するＲレール部（変向レール部）２２と、これに続く直状レール部２４とを連結して形成される。
【００１９】
一方、前記第２レール部１６は、直状のジョントレール部２６、Ｒレール部２２及び直状レール部２４Ａを順次連結して形成される。
【００２０】
図４に、前記コイン投出装置から前記ホッパ１２と第１、第２レール１４、１６を除いた装置本体１０の外観を、図５に、更にカバーを除いたベース板正面方向の外観を、それぞれ示す。
【００２１】
この装置本体１０によるコイン搬出の基本原理は、前記特許文献２に開示されているコイン投出装置と実質的に同一であり、図示しないパルスモータ等の１つのアクチュエータにより、ホッパ１２の底部に位置し、ベース板１８に軸支されているディスク（コイン搬出手段）３０を回転させ、その方向を正方向と逆方向に切り替えることにより、該ディスク３０に形成されているガイド孔３０Ａに保持されたコインを、傾斜支持されているディスク３０の上方位置のベース板１８に近接して形成された、第1レール側の出口１８Ａと第２レール側の出口１８Ｂに選択的に搬出できるようになっている。
【００２２】
上記２つの出口１８Ａ、１８Ｂには、搬出されてくるコインを各レールに導入する第１、第２導入カバー３２Ａ、３２Ｂがそれぞれ連結されている。これら第１、第２導入カバー３２Ａ、３２Ｂとベース板１８との間には、それぞれコインを案内する通路が形成され、各導入カバー３２Ａ、３２Ｂの先端部と対向するベース板１８の先端部とは互いに逆方向に傾斜した形状に形成されている。そして、各導入カバー３２Ａ、３２Ｂは、裏面側のベース板１８にスペーサ３４を介して固定され、前記第１、第２レール１４、１６との連結端部を構成している。
【００２３】
本実施形態においては、図６に示すように前記第１、第２レール１４、１６を装置本体１０に取付ける際に、奥行方向（後方）に同一位置にある第１、第２導入カバー３２Ａ、３２Ｂ等からなる連結端部に、Ｒレール部２２とジョントレール部２６をそれぞれねじ２８で連結固定すると共に、該ジョントレール２６にはＲレール部２２を連結固定し、図７の状態にする。
【００２４】
次いで、左側のＲレール部２２に前記直状レール部２４を連結して第１レール１４とすると共に、右側のＲレール部２２に前記直状レール部２４Ａを連結して第２レール１６とする。
【００２５】
このように、図中右側の第２導入カバー３２Ｂにジョイントレール部２６を連結することにより、図８に示すように第１レール１４側の出口１８Ａから直状レール部２４までの距離Ｌ1を、第２レール１６側の出口１８Ｂから直状レール部２４Ａまでの距離Ｌ2と異なるようにする。
【００２６】
その後、第１、第２の各レール１４、１６の先端部にそれぞれ投出部２０を固定し、コイン投出装置を完成させる。
【００２７】
以上詳述した本実施形態によれば、一方に前記ジョイントレール部２６を介在させ、左右で出口から直状レール部までの水平方向の距離をそれぞれ異なるようにし、第１レール１４と第２レール１６とを奥行方向の位置をずらして配設するようにしたので、第２レール１６側の直状レール２４Ａの長さを適切に調整することにより、各投出部２０を同一高さで、投出方向を同一になるように設置することができる。
【００２８】
従って、１台のコイン投出装置により、同一高さ、同一方向にコインを投げ出すことが可能となる。
【００２９】
なお、本実施形態のコイン投出装置によれば、コインの投出方向を逆方向にすることができるようにしても、又、２つの直状レール部２４、２４Ａの長さを適宜変更することにより、任意の高さ位置で２方向に投げ出すことができるようにしてもよい。
【図面の簡単な説明】
【００３０】
【図１】本発明に係る一実施形態のコイン投出装置の外観を示す側面図
【図２】上記コイン投出装置の外観を示す斜視図
【図３】上記コイン投出装置に取付れらるレールの構成を示す分解斜視図
【図４】上記コイン投出装置の装置本体の外観を示す斜視図
【図５】上記コイン投出装置の装置本体の外観を示すベース板方向の正面図
【図６】装置本体に連結するレール部材の特徴を示す分解斜視図
【図７】装置本体にレール部材を連結した状態の特徴を示す斜視図
【図８】第１、第２レールの出口から直状レール部までの距離を示す拡大部分側面図
【符号の説明】
【００３１】
１０…装置本体
１２…ホッパ
１４…第１レール
１６…第２レール
１８…ベース板
２０…投出部
２２…Ｒレール部（変向レール部）
２４、２４Ａ…直状レール部
２６…ジョントレール部
３０…ディスク
３２…導入カバー
３４…スペーサ
【図１】
2006350603.tif 000003
【図２】
2006350603.tif 000004
【図３】
2006350603.tif 000005
【図４】
2006350603.tif 000006
【図５】
2006350603.tif 000007
【図６】
2006350603.tif 000008
【図７】
2006350603.tif 000009
【図８】
2006350603.tif 000010